(57)【要約】　　　（修正有）【課題】直接給電が可能で、且つ高いＱが得られる磁界型ループアンテナの提供。【解決手段】マグネチックループアンテナＡは、正方形状に二ターンループさせ、中間部分をヘアピン状のスタブ１３にしてループ内方へ延出させたエレメントと、エレメントを固定するためのフレーム２と、不平衡・平衡変換用のバラン３と、複数のキャパシタをプラグイン方式で切り替えるキャパシタ集合体４とを備える。【選択図】図２
2004072612.tif 000002
【特許請求の範囲】
【請求項１】
近接して配される第１、第２の端子と、
一端を前記第１の端子に接続し、他端を前記第２の端子に接続し、中間部分をヘアピン状のスタブにしてループ内方へ延出させたループ状のエレメントと、
前記スタブの基部部位の各エレメントに接続した第３、第４の端子と、
前記第３、第４の端子に平衡側の巻線を電気接続し、同軸メスコネクタを不平衡側の巻線に電気接続した不平衡・平衡変換用のバランと、
前記第１、第２の端子に電気接続されるキャパシタとを備える磁界型ループアンテナ。
【請求項２】
アンテナ設置場所に載置させるための基部と、該基部に連結されるループ状の枠部とを有する電気絶縁性のフレームを追加し、
前記キャパシタを前記フレームの基部に固定し、
前記エレメントを電気絶縁性の被覆材で被覆して前記フレームの枠部に固定したことを特徴とする請求項１に記載の磁界型ループアンテナ。
【請求項３】
前記エレメントのループ形状は、正方形を含む長方形、多角形、または円形であることを特徴とする請求項１または請求項２に記載の磁界型ループアンテナ。
【請求項４】
前記エレメントは、パイプまたは平板状であることを特徴とする請求項１乃至請求項３の何れかに記載の磁界型ループアンテナ。
【請求項５】
前記エレメントは、銅製であり、表面に耐蝕処理が施されていることを特徴とする請求項１乃至請求項４に記載の磁界型ループアンテナ。
【請求項６】
前記エレメントのループは、二ターンであることを特徴とする請求項１乃至請求項５の何れかに記載の磁界型ループアンテナ。
【請求項７】
前記キャパシタは、放熱フィンを有する一組のヒートシンクの平坦面側を、所定距離を隔てて対向させたものであることを特徴とする請求項１乃至請求項４の何れかに記載の磁界型ループアンテナ。
【請求項８】
前記第１、第２の端子を省き、
前記エレメントの一端および他端にキャパシタを電気接続したことを特徴とする請求項１乃至請求項８の何れかに記載の磁界型ループアンテナ。
【請求項９】
容量の異なる複数のキャパシタを前記第１、第２の端子に選択的に電気接続するプラグイン方式とし、
一端側を無線機に接続した同軸ケーブルの他端側に同軸オスコネクタを接続し、この同軸オスコネクタを前記同軸メスコネクタに螺合させ、
前記同軸ケーブルの適所にアンテナカプラを介設したことを特徴とする請求項１乃至請求項７の何れかに記載の磁界型ループアンテナ。
【発明の詳細な説明】
【０００１】
【発明の属する技術分野】
本発明は、磁界型ループアンテナに関する。
【０００２】
【従来の技術】
主ループの一端−　他端間にキャパシタを接続し、給電線を接続するための小ループを主ループ内に配した磁界型ループアンテナが従来より知られている。
【０００３】
【発明が解決しようとする課題】
上記従来の磁界型ループアンテナは、以下に示す課題がある。
磁界型ループアンテナは、ダイポール系のアンテナに比べれてコンパクトでああるが、エレメント長が波長の１割程度は必要である。例えば、３．５ＭＨｚ帯では約６ｍのエレメント長となり、円形の場合、直径が２ｍ弱であり嵩張る。
【０００４】
数十Ｗの運用でもキャパシタに高電圧（数ｋＶ）がかかり、熱くなる。また、希望する容量のキャパシタを入手することは困難である。
マルチバンドで運用する場合には、可動調整機構によりキャパシタの容量を周波数に応じて増減させる必要があり、構造が複雑になり、コストがかかる。
【０００５】
各ループを電磁結合させているので、Ｑの低下を招き易いとともに、結合ロスが大きい。
【０００６】
本発明の第１の目的は、直接給電が可能で、且つ、高いＱが得られる磁界型ループアンテナの提供にある。
本発明の第２の目的は、エレメントのループが小さく、且つ、放射効率が高い磁界型ループアンテナの提供にある。
本発明の第３の目的は、簡単な構造で、マルチバンド運用が可能な磁界型ループアンテナの提供にある。
本発明の第４の目的は、高出力での長時間の運用が可能な磁界型ループアンテナの提供にある。
【０００７】
【課題を解決するための手段】
［請求項１について］
第１、第２の端子が近接して配され、この第１、第２の端子にキャパシタが電気接続される。
ループ状のエレメントは、一端を第１の端子に接続し、他端を第２の端子に接続し、中間部分をヘアピン状のスタブにしてループ内方へ延出させている。
なお、エレメントのループは、一ターンに限定されず、二ターン以上であっても良い。
スタブの基部部位の各エレメントに第３、第４の端子を接続している。
不平衡・平衡変換用のバランの平衡側の巻線を第３、第４の端子に電気接続し、不平衡側の巻線に同軸メスコネクタを電気接続している。
【０００８】
エレメントの中間部分をヘアピン状のスタブにしてループ内方へ延出させている。このため、スタブの基部部位の各エレメント間（第３の端子−　第４の端子間）は、低いインピーダンスになる。
よって、不平衡・平衡変換用のバランを介して、低インピーダンスで不平衡の同軸ケーブルを第３、第４の端子に電気接続することができ、直接給電を行うことができる。
磁界型ループアンテナは、直接給電であるので高いＱが得られ、放射効率が良い。また、周りの設置環境の影響を受け難い。
【０００９】
［請求項２について］
アンテナ設置場所に載置させるための基部と、この基部に連結されるループ状の枠部とを有する電気絶縁性のフレームを追加している。
キャパシタをフレームの基部に固定し、エレメントを電気絶縁性の被覆材で被覆してフレームの枠部に固定している。
【００１０】
フレームの枠部にエレメントが固定されているので、風等の外力を受けても、エレメントが傾いたり変形したりしない。
エレメントを電気絶縁性の被覆材で被覆しているので、送信中に触れても感電しない。
【００１１】
フレームの基部により、エレメントのループを垂直にした状態で、アンテナ設置場所に磁界型ループアンテナを容易に設置することができる。なお、キャパシタをフレームの基部に固定しているので、キャパシタのメンテナンスを容易にでき、エレメントの変形を防止でき、載置時の安定性を高める（重心が低くなるため）ことができる。
【００１２】
［請求項３について］
磁界型ループアンテナは、エレメントのループ形状が、正方形を含む長方形、多角形、または円形である。
エレメントのループ形状が、正方形を含む長方形の場合には、製造が容易であるとともに、車のトランクや荷物室に入れて、山等の運用地点に楽に運搬することができる。
【００１３】
［請求項４、５について］
エレメントの外周面の表面積を大きくする程、Ｑを高くすることができる。
このため、エレメントに、パイプまたは平板状のものを使用する。
【００１４】
また、エレメントを銅製にして、表面に耐蝕処理を施すと、更にＱを高くすることができる。
【００１５】
［請求項６について］
エレメントのループは、二ターンである。
これにより、エレメントのループを小さくでき、且つ、高い放射効率が得られる。
【００１６】
なお、エレメントのループが二ターンの場合には、キャパシタを電気接続する第１、第２の端子と、バランの平衡側の巻線を電気接続する第３、第４の端子とが同じ側になる。
【００１７】
［請求項７について］
キャパシタは、放熱フィンを有する一組のヒートシンクの平坦面側を、所定距離を隔てて対向させたものである。
【００１８】
ヒートシンクの平坦面と他方のヒートシンクの平坦面との間に高電圧（数ｋＶ）がかかるが、放熱フィンから放熱するので、キャパシタ（一組のヒートシンク）が熱くならず、高出力での長時間の運用が可能である。
また、平坦面側の面積の大小や所定距離を選ぶことにより、キャパシタを希望する容量に設定することができる。
【００１９】
［請求項８について］
磁界型ループアンテナをシングルバンドで使用する場合や、キャパシタにバリコンを使う場合には、第１、第２の端子を省き、エレメントの一端および他端にキャパシタを直接、電気接続する構成であっても良い。
【００２０】
［請求項９について］
容量の異なる複数のキャパシタを第１、第２の端子に選択的に電気接続するプラグイン方式としている。
一端側を無線機に接続した同軸ケーブルの他端側に同軸オスコネクタを接続し、この同軸オスコネクタを同軸メスコネクタに螺合させている。
同軸ケーブルの適所にアンテナカプラを介設している。
【００２１】
運用する周波数帯を変更する場合には、その周波数帯に適した容量のキャパシタを第１、第２の端子に電気接続する。
これにより、エレメントがその周波数帯に共振する。
【００２２】
通常、使用頻度が高い何れかの周波数帯で、最適な、スタブの長さとエレメントの長さとを決めている。
しかし、周波数帯毎に、スタブの長さおよびエレメントの長さの最適な組み合わせは異なるので、キャパシタの容量を変えただけでは、整合は不十分である。
【００２３】
このため、同軸ケーブルの適所に介設したアンテナカプラを調整して、無線機側から見た定在波比を１に近づける。
なお、アンテナカプラを無線機に近い側に介設すれば、手元で容易にインピーダンス・マッチングを取ることができる。
【００２４】
【発明の実施の形態】
本発明の第１実施例（請求項１、２、３、４、６、７、９に対応）を、図１〜図５に基づいて説明する。
図に示す如く、マグネチックループアンテナＡは、ループ状のエレメント１と、エレメント１を固定するためのフレーム２と、バラン３と、キャパシタ集合体４とを備える。
【００２５】
エレメント１は、銅パイプ製（外径が６ｍｍ）であり、一辺が７５ｃｍの正方形状に二ターンループさせている（図１の分解図参照）。
このエレメント１の一端１１はバナナ端子５１に接続され、他端１２はバナナ端子５４に接続され、中間部分はヘアピン状のスタブ１３（長さ６５ｃｍ）にしてループ内方へ延出させている。
【００２６】
このエレメント１は、各端子との接続部分およびスタブ１３の主要部分を除いて、電気絶縁性の被覆材１０（凍結防止用の断熱材）で被覆されている。
そして、この被覆されたエレメント１が、ビニールテープ２０でフレーム２の枠部２１に固定されている。
【００２７】
バナナ端子５１〜５６は、絶縁板５（ベークライト製）に取り付けられ、フレーム２の枠部２１の下辺に固定されている。
なお、バナナ端子５１〜５３、およびバナナ端子５４〜５６は、絶縁板５の裏側でそれぞれリード線で接続されている。
【００２８】
フレーム２は、アンテナ設置場所に安定良く載置させるための基部２２と、基部２１に連結される正方形の枠部２１とを有する。
枠部２１や基部２２は、複数の塩化ビニール製のパイプ（ＶＰ１３；水道用）を、チーズやエルボで繋ぎ合わせ、接着剤で接着して作られている。
【００２９】
バラン３は、二本のウレタン銅線（直径１ｍｍ）をツイストさせて、リング状のコア３０（フェライト製）に数回巻き付けたものである。
このバラン３は、不平衡・平衡変換用の１：１のものであり、平衡側の巻線３１をバナナ端子１４、１５に電気接続し、不平衡側の巻線３２に同軸メスコネクタ５０を電気接続している。
なお、バナナ端子１４、１５は、スタブ１３の基部に位置するエレメント１、１に半田付けした銅製の端子板１６、１７に取り付けられている。
【００３０】
キャパシタ集合体４は、約６０ｐＦのキャパシタを３個並列接続した合計静電容量が約１８０ｐＦのキャパシタと、静電容量が約６０ｐＦのキャパシタと、静電容量が約４０ｐＦのキャパシタと、静電容量が約３０ｐＦのキャパシタとで構成され、絶縁板４０を左右からネジ止めして一つに纏められている。
【００３１】
合計静電容量が約１８０ｐＦのキャパシタは、放熱フィンを有する二枚のヒートシンク４１、４１の平坦面間にスペーサ４２を挟んで対向（所定距離＝３ｍｍ）させたものである。
なお、このキャパシタのヒートシンク４１、４１には、一端側に赤色のバナナプラグ４３、４３を付けた被覆線の他端側がネジ４４を介して電気接続される。
【００３２】
静電容量が約６０ｐＦのキャパシタは、放熱フィンを有する二枚のヒートシンク（図示せず）の平坦面間にスペーサを挟んで対向（所定距離＝１０ｍｍ）させたものである。
なお、このキャパシタの各ヒートシンクには、一端側に緑色のバナナプラグ４５、４５を付けた被覆線の他端側がネジを介して電気接続される。
【００３３】
静電容量が約４０ｐＦのキャパシタは、放熱フィンを有する二枚のヒートシンク（図示せず）の平坦面間にスペーサを挟んで対向（所定距離＝１５ｍｍ）させたものである。なお、このキャパシタの各ヒートシンクには、一端側に白色のバナナプラグ４６、４６を付けた被覆線の他端側がネジを介して電気接続される。
【００３４】
静電容量が約３０ｐＦのキャパシタは、放熱フィンを有する二枚のヒートシンク４７、４７の平坦面間にスペーサ４８を挟んで対向（所定距離＝１８ｍｍ）させたものである。
なお、このキャパシタのヒートシンク４７、４７には、一端側に青色のバナナプラグ４９、４９を付けた被覆線の他端側がネジ４４を介して電気接続される。
【００３５】
３．５ＭＨｚ帯を運用する場合には、合計静電容量が約１８０ｐＦのキャパシタと、静電容量が約４０ｐＦのキャパシタと並列に接続して静電容量を約２２０ｐＦにする。
具体的には、絶縁板５のバナナ端子５３、５６−　バナナ端子５２、５５に赤色のバナナプラグ４３、４３と白色のバナナプラグ４６、４６とを差し込む。
【００３６】
３．８ＭＨｚ帯を運用する場合には、合計静電容量が約１８０ｐＦのキャパシタと、静電容量が約３０ｐＦのキャパシタと並列に接続して静電容量を約２１０ｐＦにする。
具体的には、絶縁板５のバナナ端子５３、５６−　バナナ端子５２、５５に赤色のバナナプラグ４３、４３と青色のバナナプラグ４９、４９とを差し込む。
【００３７】
７ＭＨｚ帯を運用する場合には、静電容量が約６０ＰＦのキャパシタを使用する。具体的には、絶縁板５のバナナ端子５３、５６−　バナナ端子５２、５５に緑色のバナナプラグ４５、４５を差し込む。
【００３８】
１０ＭＨｚ帯を運用する場合には、静電容量が約３０ｐＦのキャパシタを使用する。具体的には、絶縁板５のバナナ端子５３、５６−　バナナ端子５２、５５に青色のバナナプラグ４９、４９を差し込む。
【００３９】
地上高、約１０ｍの木製のベランダにマグネチックループアンテナＡを設置（図４参照）し、１００Ｗ機を用い、１００Ｗ出力ＳＷＲ特性を測定した結果を以下に示す。なお、６０は同軸オスコネクタである。
７ＭＨｚ帯…
バンドの略中央で１．５前後（アンテナカプラ６１を介設しない状態）。
無線機６２に近い側にアンテナカプラ６１を介設し、アンテナカプラ６１を調整するとバンド内の何処でもＳＷＲが１．１以下に落ちる。
【００４０】
３．５ＭＨｚ帯、３．８ＭＨｚ帯、１０ＭＨｚ帯、…
バンドの何処でもＳＷＲ３以上（アンテナカプラ６１を介設しない状態）。
無線機６２に近い側にアンテナカプラ６１を介設し、アンテナカプラ６１を調整すると各バンドにおいて、バンド内の何処でもＳＷＲが１．５以下に落ちる。
【００４１】
本実施例のマグネチックループアンテナＡは、以下に示す利点を有する。
〔ア〕エレメント１の中間部分をヘアピン状のスタブ１３にしてループ内方へ延出させている。このため、スタブ１３の基部部位の各エレメント間（端子板１６−　端子板１７間）は、低いインピーダンスになる。
【００４２】
よって、不平衡・平衡変換用のバラン３を介して、低インピーダンスで不平衡の同軸ケーブル６３を接続することができ、エレメント１に直接給電を行うことができる。
マグネチックループアンテナＡは、直接給電であるので高いＱが得られ、放射効率が良い。また、周りの設置環境の影響を受け難い。
【００４３】
〔イ〕マグネチックループアンテナＡは、エレメント１を正方形とし、そのループを二ターンにしている。
このため、エレメント１を、一辺７５ｃｍの正方形と小さくでき、且つ、高い放射効率が得られる。
【００４４】
エレメント１のループ形状が、一辺７５ｃｍの正方形であるので製造が容易であるとともに、車のトランクや荷物室に入れて、山等の運用地点に楽にマグネチックループアンテナＡを運搬することができる。
なお、エレメント１のループが二ターンであるので、キャパシタ集合体４を電気接続する端子（各バナナ端子）と、バラン３の平衡側の巻線を電気接続するバナナ端子１４、１５とを同じ側にすることができ、使い勝手が良い。
【００４５】
〔ウ〕フレームの基部２２により、エレメント１のループを垂直にした状態で、アンテナ設置場所にマグネチックループアンテナＡを容易に設置することができる。
アンテナ設置場所は、ベランダ（図４参照）や、移動運用先での乗用車の屋根（図５参照）等が考えられる。
なお、キャパシタ集合体４をフレーム２の基部２２に固定しているので、キャパシタのメンテナンスを容易にでき、エレメント１の変形を防止でき、載置時の安定性を高める（重心が低くなるため）ことができる。
【００４６】
なお、フレーム２の枠部２１にエレメント１が固定されているので、風等の外力を受けても、エレメント１が傾いたり変形したりしない。
また、エレメント１を電気絶縁性の被覆材で被覆しているので、送信中に触れても感電しない。
【００４７】
〔エ〕エレメント１に、外径が６ｍｍの銅パイプを使用している。
このため、エレメント１の外周面の表面積を大きくすることができ、Ｑを高くすることができる。
【００４８】
〔オ〕放熱フィンを有する一組のヒートシンクの平坦面側を、所定距離を隔てて対向させ、平坦面側の面積の大小や所定距離を変えた複数のキャパシタを採用し、プラグイン方式で切り替えている。
【００４９】
このため、マグネチックループアンテナＡは、アンテナカプラ６１を併用してマルチバンドで運用が可能である。なお、アンテナカプラを無線機に近い側に介設すれば、手元で容易にインピーダンス・マッチングを取ることができる。
更に、ヒートシンクの平坦面と他方のヒートシンクの平坦面との間に高電圧（数ｋＶ）がかかるが、放熱フィンから放熱するので、キャパシタ（ヒートシンク）が熱くならず、数１００Ｗ以上の高出力での長時間の運用が可能である。
【００５０】
つぎに、本発明の第２実施例（請求項１〜６に対応）を図６に基づいて説明する。
マグネチックループアンテナＢは、以下の構成がマグネチックループアンテナＡと異なる。
【００５１】
フレームの枠部（いずれも図示せず）は、円形である。
エレメント１は、耐蝕処理として亜鉛メッキを施した銅パイプ（外径が６ｍｍ）であり、直径が９０ｃｍの円形状に二ターンループさせている。
【００５２】
スタブ１３はスライド式であり、４４ｃｍ〜８５ｃｍの間で長さを変えることができる。
キャパシタは、耐圧が４ｋＶ、最大容量２４０ｐＦのタイトバリコン７１である。
アンテナカプラ６１を用いず、ＳＷＲ計６４を介装している。
【００５３】
３．５ＭＨｚ帯を運用する場合には、スタブ１３を８５ｃｍ位にし、タイトバリコン７１の静電容量を約２２０ｐＦにして微調整する。なお、スタブ位置やロータ回転位置をマーキングしておくと良い。
【００５４】
３．８ＭＨｚ帯を運用する場合には、スタブ１３を８３ｃｍ位にし、タイトバリコン７１の静電容量を約２１０ｐＦにして微調整する。なお、スタブ位置やロータ回転位置をマーキングしておくと良い。
【００５５】
７ＭＨｚ帯を運用する場合には、スタブ１３を６５ｃｍ位にし、タイトバリコン７１の静電容量を約６０ｐＦにして微調整する。なお、スタブ位置やロータ回転位置をマーキングしておくと良い。
【００５６】
１０ＭＨｚ帯を運用する場合には、スタブ１３を４４ｃｍ位にし、タイトバリコン７１の静電容量を約３０ｐＦにして微調整する。なお、スタブ位置やロータ回転位置をマーキングしておくと良い。
【００５７】
地上高、約１０ｍの木製のベランダ（図４と同様）にマグネチックループアンテナＢを設置し、１００Ｗ機を用い、１００Ｗ出力ＳＷＲ特性を測定した結果を以下に示す。
７ＭＨｚ帯…
スタブ１３とタイトバリコン７１の調整で、バンド内の何処でもＳＷＲが１．３以下に落ちる。
【００５８】
３．５ＭＨｚ帯、３．８ＭＨｚ帯…
スタブ１３とタイトバリコン７１の調整で、バンド内の何処でもＳＷＲが１．８以下に落ちる。
【００５９】
１０ＭＨｚ帯…
スタブ１３とタイトバリコン７１の調整で、バンド内の何処でもＳＷＲが１．５以下に落ちる。
【００６０】
本実施例のマグネチックループアンテナＢは、以下に示す利点を有する。
〔カ〕エレメント１の中間部分を、スライド式のスタブ１３にしてループ内方へ延出させている。
このため、スタブ１３の長さを４４ｃｍ〜８５ｃｍの間で変えることにより、端子板１６−　端子板１７間は、各バンドで低いインピーダンスになる。
【００６１】
よって、不平衡・平衡変換用のバラン３を介して、低インピーダンスで不平衡の同軸ケーブル６３を接続することができ、エレメント１に直接給電を行うことができる。
マグネチックループアンテナＢは、直接給電であるので高いＱが得られ、放射効率が良い。また、周りの設置環境の影響を受け難い。
【００６２】
〔キ〕マグネチックループアンテナＢは、エレメント１を円形とし、そのループを二ターンにしている。
このため、エレメント１を、直径９０ｃｍと小さくでき、且つ、高い放射効率が得られる。
【００６３】
エレメント１のループ形状が、直径９０ｃｍの円形であるので製造が容易であるとともに、車のトランクや荷物室に入れて、山等の運用地点に楽にマグネチックループアンテナＢを運搬することができる。
なお、エレメント１のループが二ターンであるので、キャパシタ集合体４を電気接続する端子（各バナナ端子）と、バラン３の平衡側の巻線を電気接続するバナナ端子１４、１５とを同じ側にすることができ、使い勝手が良い。
【００６４】
〔ク〕フレームの基部により、エレメント１のループを垂直にした状態で、アンテナ設置場所にマグネチックループアンテナＢを容易に設置することができる。アンテナ設置場所は、ベランダや、移動運用先での乗用車の屋根等が考えられる。
なお、キャパシタ集合体をフレームの基部に固定しているので、キャパシタのメンテナンスを容易にでき、エレメント１の変形を防止でき、載置時の安定性を高める（重心が低くなるため）ことができる。
【００６５】
なお、フレーム２の枠部にエレメント１が固定されているので、風等の外力を受けても、エレメント１が傾いたり変形したりしない。
また、エレメント１を電気絶縁性の被覆材で被覆しているので、送信中に触れても感電しない。
【００６６】
〔ケ〕エレメント１に、外径が６ｍｍの銅パイプを使用している。
このため、エレメント１の外周面の表面積を大きくすることができ、Ｑを高くすることができる。
【００６７】
〔コ〕マグネチックループアンテナＢは、ＳＷＲ計６４を併用してマルチバンドで運用が可能である。
【００６８】
本発明の磁界型ループアンテナは、上記の各実施例以外に、以下の実施態様を含む。
ａ．エレメントの向きは水平であっても良い。
ｂ．ループの大きさやキャパシタの容量を変更して、他のバンド（１４ＭＨｚ、１８ＭＨｚ、２１ＭＨｚ、２８ＭＨｚ）で使用できる様にしても良い。
また、業務用無線のアンテナに設計変更しても良い。
【００６９】
ｃ．磁界型ループアンテナが回転する様にしても良い（請求項１に対応）。
ｄ．ループは、３ターン以上であっても良い（請求項１〜５に対応）。
ｅ．シングルバンド専用の場合には、第１、第２の端子を省き、キャパシタをエレメントに直付けしても良い（請求項８に対応）。
ｆ．エレメントの表面に施す耐蝕処理は、他のメッキ（金メッキや銀メッキ等）や、樹脂皮膜等のコーティング処理等であっても良い（請求項５に対応）。
【図面の簡単な説明】
【図１】本発明の第１実施例に係るマグネチックループアンテナの分解斜視図である。
【図２】本発明の第１実施例に係るマグネチックループアンテナの全体を示す斜視図（ａ）、および要部を拡大した斜視図（ｂ）である。
【図３】そのマグネチックループアンテナに用いるキャパシタ集合体周りの斜視図（ａ）、および要部を拡大した斜視図（ｂ）である。
【図４】そのマグネチックループアンテナをベランダに設置したところを示す説明図である。
【図５】そのマグネチックループアンテナを自動車の屋根に設置したところを示す斜視図である。
【図６】本発明の第２実施例に係るマグネチックループアンテナの全体（一部省略）を示す斜視図である。
【符号の説明】
１　エレメント
２　フレーム
３　バラン
１０　被覆材
１１　一端
１２　他端
１３　スタブ
１４　バナナ端子（第３の端子）
１５　バナナ端子（第４の端子）
２１　枠部
２２　基部
３１　平衡側の巻線
３２　不平衡側の巻線
４１、４７　ヒートシンク
５０　同軸メスコネクタ
５１、５２、５３　バナナ端子（第１の端子）
５４、５５、５６　バナナ端子（第２の端子）
６０　同軸オスコネクタ
６１　アンテナカプラ
６２　無線機
６３　同軸ケーブル
Ａ、Ｂ　マグネチックループアンテナ（磁界型ループアンテナ）
【図１】
2004072612.tif 000003
【図２】
2004072612.tif 000004
【図３】
2004072612.tif 000005
【図４】
2004072612.tif 000006
【図５】
2004072612.tif 000007
【図６】
2004072612.tif 000008